(57)【要約】      （修正有）【課題】調整機能を具えた保護装置を提供する。【解決手段】携帯式電子装置に組み合わせて使用され、座体２０と座体２０に接続された折り畳み板体３０を具え、座体２０は内側に位置する設置面２１と外側に位置する保護面２２を具える。座体２０の設置面２１に調整構造４０が設けられ、調整構造４０は複数の定位部品４２を具え、複数の定位部品４２の間に携帯式電子装置を位置制限する定位空間４１を形成し、複数の定位部品４２は座体２０の設置面２１に選択的に取り付け取り外し可能で、相対位置を変化させられ、これにより定位空間４１のサイズを変更して各種の異なるサイズの携帯式電子装置を収容する。【選択図】図１
0003189934.tif 000002
【実用新案登録請求の範囲】
【請求項１】
携帯式電子装置に組み合わせて使用され、座体と上述の座体に接続された折り畳み板体を具え、上述の座体は内側に位置する設置面と外側に位置する保護面を具える、調整機能を具えた保護装置において、
上述の座体の設置面に調整構造が設けられ、上述の調整構造は、上述の携帯式電子装置を位置制限する定位空間を具え、上述の調整構造は選択的に相対位置を変化させられ、これにより上述の定位空間のサイズを変更して各種の異なるサイズの携帯式電子装置を収容することを特徴とする、調整機能を具えた保護装置。
【請求項２】
請求項１記載の調整機能を具えた保護装置において、上述の調整構造は複数の定位部品を具え、上述の複数の定位部品は、上述の座体の設置面に選択的に取り付け取り外し可能で、上述の複数の定位部品の間に上述の定位空間を形成することを特徴とする、調整機能を具えた保護装置。
【請求項３】
請求項２記載の調整機能を具えた保護装置において、上述の複数の定位部品は、上述の定位空間の角部に位置する四つのＬ形夾持部品とされることを特徴とする、調整機能を具えた保護装置。
【請求項４】
請求項３記載の調整機能を具えた保護装置において、上述の四つのＬ形夾持部品は上述の座体の対角線経路に沿って対応して位置を変化させることを特徴とする、調整機能を具えた保護装置。
【請求項５】
請求項３記載の調整機能を具えた保護装置において、上述の四つのＬ形夾持部品は上述の設置面に貼り付けられる貼り付け部、上述の貼り付け部の一端が上向きに延伸されて形成された当接部、上述の当接部の上端に、上述の貼り付け部と平行に形成された支持部を具え、上述の貼り付け部、当接部及び支持部の三者の間に共同で夾持空間が形成されることを特徴とする、調整機能を具えた保護装置。
【請求項６】
請求項１記載の調整機能を具えた保護装置において、上述の調整構造は上述の設置面に取り付けられるベースを具え、上述のベースが外向きに延伸されて複数の第１連接シートが形成され、上述の第１連接シートが弾性部品の一端に取り付けられ、上述の弾性部品の他端が夾持位置決め部品の第２連接シートに取り付けられ、上述の夾持位置決め部品は夾持部を具え、上述の複数の夾持部の間に上述の定位空間が形成されることを特徴とする、調整機能を具えた保護装置。
【請求項７】
請求項６記載の調整機能を具えた保護装置において、上述の夾持位置決め部品は上述の弾性部品に組み合わされて、収縮状態の第１位置と伸長状態の第２位置の間で、選択的に往復移動可能であり、上述の夾持位置決め部品は上述の定位空間の周側辺縁に位置することを特徴とする、調整機能を具えた保護装置。
【請求項８】
請求項１記載の調整機能を具えた保護装置において、上述の折り畳み板体はさらに少なくとも一つの折り線を具え、上述の折り畳み板体に、上述の保護面に折り畳まれるときに立体支持構造を形成させ、並びに上述の座体に、上述の立体支持構造に寄り掛からせて傾斜状態を形成させることを特徴とする、調整機能を具えた保護装置。
【請求項９】
請求項８記載の調整機能を具えた保護装置において、上述の折り畳み板体は、順に、連接板、上述の連接板との間に折り線を形成する支持板、上述の支持板との間に折り線を形成する折り曲げ板、及び上述の折り曲げ板との間に折り線を形成する被覆板を包含することを特徴とする、調整機能を具えた保護装置。
【請求項１０】
請求項９記載の調整機能を具えた保護装置において、上述の被覆板の内側表面に、少なくとも一つの当接部が設けられ、上述の折り畳み板体が上述の立体支持構造を形成するとき、上述の座体の一側を上述の当接部に接触させて定位することを特徴とする、調整機能を具えた保護装置。
【考案の詳細な説明】
【技術分野】
【０００１】
本考案は一種の保護カバーに係り、特に一種の、携帯式電子装置のサイズの違いに応じて、定位空間を変更できる保護カバーに関する。
【背景技術】
【０００２】
科学技術のたゆみない進歩と共に、携帯式電子装置は軽量薄型化小型化、精密化の方向へと発展してきた。近年、携帯式電子装置の機能はますます多元化し、消費者に広く受け入れられており、使用者は携帯式電子装置を生活中のさまざまな事務処理に使用するようになった。
【０００３】
携帯式電子装置はタッチスクリーンを表示スクリーン及び入力装置として使用し、タッチスクリーンは長期のタッチ使用及びケースの保護がないため、引っかき傷を受けやすく、異物に衝突して損壊しやすい。これにより、多くの使用者は保護カバーを装着することで携帯式電子装置が事故で損傷する機会を減らしている。
【０００４】
しかし、現在市販されている保護カバーは、いずれも異なるサイズの携帯式電子装置に対して製作されることで、市場の異なる要求に対応しており、これにより、使用者が購入するときには、適合する保護カバーを選んで購入して使用しなければならず、後日に使用者が異なる大きさの携帯式電子装置を所有することになれば、すなわち、別に異なる保護カバーを購入しなければならず、このため、使用者の使用上の不便を形成し、さらには資源の浪費を形成する。
【０００５】
これを鑑み、周知の保護カバーの使用上、不足のところがあり、改善の必要がある。選択的に携帯式電子装置を収容する収容空間を調整することができるようにすれば、保護カバーを異なる大きさの携帯式電子装置に装着することができ、並びに使用上の実用性をアップできる。
【考案の概要】
【考案が解決しようとする課題】
【０００６】
本考案の主要な目的は、携帯式電子装置のサイズにより、選択的に定位空間の収容サイズを調整することで、保護カバーを異なるサイズの携帯式電子装置に取り付けられるようにし、有効に使用上の便利性と実用性をアップすることにある。
【課題を解決するための手段】
【０００７】
上述の目的のため、本考案は調整機能を具えた保護装置を提供し、それは携帯式電子装置に組み合わせて使用され、並びに、座体と上述の座体に接続された折り畳み板体を具え、上述の座体は内側に位置する設置面と外側に位置する保護面を具え、本考案の特徴は、上述の座体の設置面に調整構造が設けられ、上述の調整構造は、上述の携帯式電子装置を位置制限する定位空間を具え、そのうち、上述の調整構造は選択的に相対位置を変化させられ、これにより上述の定位空間のサイズを変更して各種の異なるサイズの携帯式電子装置を収容できることにある。
【０００８】
第１の好適な実施例中、上述の調整構造は複数の定位部品を具え、上述の複数の定位部品は選択的に上述の座体の設置面に取り付け或いは取り外しされ、上述の複数の定位部品の間に上述の定位空間が形成される。上述の複数の定位部品は四つの、上述の定位空間の角部分に位置するＬ形夾持部品とされる。
【０００９】
そのうち、上述の四つのＬ形夾持部品は、上述の座体の対角線経路に沿って対応した位置変化を行なう。上述のＬ形夾持部品は、上述の設置面に貼り付けられる貼り付け部を具え、上述の貼り付け部の一端が上向きに延伸されて当接部が形成され、上述の当接部の上端に、上述の貼り付け部と相互に平行な支持部があり、また、上述の貼り付け部、当接部と支持部の三者の間に共同で夾持空間が形成される。
【００１０】
第２の好適な実施例において、上述の調整構造は、上述の設置面に取り付けられるベースを具え、上述のベースが外向きに延伸されて複数の第１連接シートが形成され、上述の第１連接シートが弾性部品の一端に取り付けられ、上述の弾性部品の他端が夾持位置決め部品の第２連接シートに取り付けられ、上述の夾持位置決め部品は夾持部を具え、複数の上述の夾持部の間に上述の定位空間が形成される。
【００１１】
そのうち、上述の夾持位置決め部品は上述の弾性部品に組み合わされて、収縮状態の第１位置と伸長状態の第２位置の間で、選択的に往復移動可能であり、上述の夾持位置決め部品は上述の定位空間の周側辺縁に位置する。
【００１２】
このほか、上述の折り畳み板体は選択的に回転させられ上述の座体の設置面に重ねられるか或いは選択的に回転させられ上述の保護面に重ねられる。上述の折り畳み板体はさらに少なくとも一つの折り線を具え、上述の折り畳み板体に、上述の保護面に折り畳まれるときに立体支持構造を形成させ、並びに上述の座体に、上述の立体支持構造に寄り掛からせて傾斜状態を形成させる。
【００１３】
さらに、上述の折り畳み板体は、順に、連接板、上述の連接板との間に折り線を形成する支持板、上述の支持板との間に折り線を形成する折り曲げ板、及び上述の折り曲げ板との間に折り線を形成する被覆板を包含する。また、上述の被覆板の内側表面に、少なくとも一つの当接部が設けられ、上述の折り畳み板体が上述の立体支持構造を形成するとき、上述の座体の一側を上述の当接部に接触させて定位する。
【考案の効果】
【００１４】
本考案の特徴は、調整構造が、選択的に相対位置を変化させられ、それにより、定位空間の収容サイズを変更でき、これにより定位空間内に異なるサイズの携帯式電子装置を収容でき、よって使用上の実用性と便利性をアップできることにある。
【図面の簡単な説明】
【００１５】
【図１】本考案の保護装置の第１の好適な実施例の分解図である。
【図２】本考案の折り畳み構造を回転させる表示図である。
【図３】本考案の支持構造の立体図である。
【図４】本考案の定位部品の立体図である。
【図５】本考案の第１の好適な実施例の具体的な応用の表示図である。
【図６】本考案の第２の好適な実施例の表示図である。
【図７】本考案の第２の好適な実施例の具体的な応用の表示図である。
【考案を実施するための形態】
【００１６】
以下に本発明の技術内容、構造特徴、達成する目的及び作用効果について、以下に例を挙げ並びに図面を組み合わせて詳細に説明する。
【００１７】
図１を参照されたい。第１の好適な実施例中、本考案の調整機能を具えた保護装置１は、携帯式電子装置１０に組み合わせて使用され、並びに座体２０、折り畳み板体３０及び調整構造４０で構成される。上述の座体２０は内側に位置する設置面２１及び外側に位置する保護面２２を具えている。
【００１８】
上述の折り畳み板体３０は、上述の座体２０に接続され、図示されるように、上述の折り畳み板体３０は上述の保護面２２に固定される連接板３１、上述の連接板３１と相互に接続される支持板３２、上述の支持板３２と相互に接続される折り曲げ板３３及び上述の折り曲げ板３３と相互に接続される被覆板３４を具えている。上述の連接板３１、支持板３２、折り曲げ板３３及び被覆板３４の４者の間の接続部分には折り線３５を具えている。
【００１９】
図２を参照されたい。上述の折り畳み板体３０の被覆板３４は、上述の折り線３５により選択的に上述の座体２０の設置面２１に折り重ねられて、上述の携帯式電子装置１０を上述の設置面２１と被覆板３４の間に位置させ、それにより、上述の携帯式電子装置１０が異物により衝突を受ける機会を減らす。上述の折り畳み板体３０の被覆板３４はまた同様に、上述の折り線３５により上述の座体２０の保護面２２に折り重ねられる。
【００２０】
図３を参照されたい。上述の被覆板３４の内側表面に、外向きに延伸された少なくとも一つの当接部３６が形成され、上述の連接板３１、支持板３２、折り曲げ板３３及び被覆板３４に、上述の折り線３５が組み合わされて、上述の保護面２２の方向に折り畳まれるとき、立体支持構造３７を形成し、上述の当接部３６は、上述の折り畳み板体３０が上述の立体支持構造３７を形成するとき、上述の座体２０の一側を上述の当接部３６に接触させて位置決めする。これにより、上述の座体２０が上述の立体支持構造３７に寄り掛かり、傾斜状態を呈する。
【００２１】
図１を再び参照されたい。上述の調整構造４０は上述の座体２０の設置面２１に取り付けられ、上述の調整構造４０は、上述の携帯式電子装置１０を位置制限する定位空間４１を具え、そのうち、上述の調整構造４０は、選択的に相対位置を変化させることにより、上述の定位空間４１の収容サイズを変更でき、これにより上述の定位空間４１が異なるサイズの携帯式電子装置１０を収納できる。
【００２２】
図示されるように、上述の調整構造４０は四つの定位部品４２を具え、上述の四つの定位部品４２は選択的に上述の座体２０の設置面２１に取り付けられるか取り外され、上述の四つの定位部品４２の間に上述の定位空間４１を形成し、また、上述の四つの定位部品４２は上述の定位空間４１の角部に位置する。そのうち、上述の四つの定位部品４２は、それぞれ上述の座体２０の対角線経路に沿って対応して位置変化が可能である。しかし、上述の定位部品４２と座体２０の設置面２１の間には相互に対応する面ファスナー構造により相互に組み合わせられる。
【００２３】
図４を参照されたい。上述の四つの定位部品４２は、形状が同じＬ形夾持部品４２１とされ、上述のＬ形夾持部品４２１は選択的に上述の設置面２１に貼り付けられる貼り付け部４２２を具え、上述の貼り付け部４２２の一端が上向きに延伸されて当接部４２３が形成され、上述の当接部４２３の上端に、上述の貼り付け部４２２と相互に平行な支持部４２４があり、また、上述の貼り付け部４２２、当接部４２３と支持部４２４の三者の間に共同で夾持空間４２５が形成される。
【００２４】
上述の調整構造４０は、説明しやすいように上述の四つの定位部品４２として説明されているが、これは上述の調整構造４０の態様を制限するものではなく、またすなわち、上述の調整構造４０は、二つの、上述の定位空間４１の対向する両側のＵ形夾持部品（図示せず）とされてもよく、上述の二つのＵ形夾持部品（図示せず）はそれぞれ上述の座体２０の側辺に垂直な直線経路に沿って対応する位置変化を行ない、いずれも上述の定位空間４１の収容サイズの変更を達成し、これにより各種の異なるサイズの携帯式電子装置１０を収納できる。
【００２５】
図５を参照されたい。第１の好適な実施例が具体的に応用されるとき、上述の携帯式電子装置１０の角部分は、上述の定位部品４２の夾持空間４２５に取り付けられ、これにより上述の携帯式電子装置１０は上述の定位空間４１に位置付けられ、さらに上述の定位部品４２の貼り付け部４２２が上述の座体２０の設置面２１に貼り付けられる。これにより、上述の携帯式電子装置１０のサイズにかかわらず、上述の定位部品４２により上述の定位空間４１の収容サイズを調整でき、これにより上述の携帯式電子装置１０を上述の座体２０の設置面２１に固定できる。
【００２６】
図６を参照されたい。図６に示される本考案の第２の好適な実施例の、上述の第１の好適な実施例との違いは、上述の調整構造４０にある。上述の調整構造４０は、ベース４３、複数の弾性部品４４、複数の夾持位置決め部品４５で構成される。上述のベース４３は上述の座体２０の設置面２１に取り付けられ、並びに外向きに複数の第１連接シート４３１が形成され、上述の複数の弾性部品４４の一端は上述の第１連接シート４３１に取り付けられる。
【００２７】
上述の夾持位置決め部品４５は上述の弾性部品４４の他端に取り付けられる第２連接シート４５１、及び上述の第２連接シート４５１より外向きに延伸するように形成された夾持部４５２を具え、上述の複数の夾持部４５２の間に上述の定位空間４１を形成する。そのうち、上述の夾持位置決め部品４５は上述の弾性部品４４と組み合わされて、収縮状態の第１位置４６と伸長状態の第２位置４７の間で選択的に往復移動することができる。
【００２８】
図７を参照されたい。第２の好適な実施例を具体的に応用するとき、まず、上述の夾持位置決め部品４５は上述の弾性部品４４が引き伸ばされることで、上述の第２位置４７に至り、上述の携帯式電子装置１０が上述の複数の夾持位置決め部品４５の間に置かれ、上述の携帯式電子装置１０が上述の定位空間４１に配置され、最後に、上述の弾性部品４４の弾性引っ張り力により、上述の夾持位置決め部品４５が、上述の第２位置４７から上述の第１位置４６へと移動し、上述の夾持位置決め部品４５の夾持部４５２が上述の携帯式電子装置１０の外周側に突き当たり、こうして上述の携帯式電子装置１０が安定して上述の定位空間４１に固定される。そのうち、上述の夾持位置決め部品４５は上述の定位空間４１の周側辺縁に位置する。
【００２９】
これにより、上述の夾持位置決め部品４５は、上述の弾性部品４４により上述の第１位置４６と第２位置４７の間を直線往復移動し、これにより、選択的に上述の定位空間４１の収容サイズを変更でき、これにより上述の第１の好適な実施例と同じ効果を達成できる。
【００３０】
総合すると、本考案は調整構造により選択的に定位空間のサイズを変更でき、定位空間内に異なるサイズの携帯式電子装置を取り付けられ、よって有効に使用上の実用性を高めることができる。
【００３１】
以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００３２】
１  保護装置
１０  携帯式電子装置
２０  座体
２１  設置面
２２  保護面
３０  折り畳み板体
３１  連接板
３２  支持板
３３  折り曲げ板
３４  被覆板
３５  折り線
３６  当接部
３７  立体支持構造
４０  調整構造
４１  定位空間
４２  定位部品
４２１  Ｌ形夾持部品
４２２  貼り付け部
４２３  当接部
４２４  支持部
４２５  夾持空間
４３  ベース
４３１  第１連接シート
４４  弾性部品
４５  夾持位置決め部品
４５１  第２連接シート
４５２  夾持部
４６  第１位置
４７  第２位置
【図１】
0003189934.tif 000003
【図２】
0003189934.tif 000004
【図３】
0003189934.tif 000005
【図４】
0003189934.tif 000006
【図５】
0003189934.tif 000007
【図６】
0003189934.tif 000008
【図７】
0003189934.tif 000009
【手続補正書】
【提出日】平成26年2月10日(2014.2.10)
【手続補正１】
【補正対象書類名】実用新案登録請求の範囲
【補正対象項目名】全文
【補正方法】変更
【補正の内容】
【実用新案登録請求の範囲】
【請求項１】
携帯式電子装置に組み合わせて使用され、座体と上述の座体に接続された折り畳み板体を具え、上述の座体は内側に位置する設置面と外側に位置する保護面を具える、調整機能を具えた保護装置において、
上述の座体の設置面に調整構造が設けられ、上述の調整構造は複数の定位部品を具え、上述の複数の定位部品の間に上述の携帯式電子装置を位置制限する定位空間を形成し、上述の複数の定位部品は上述の座体の設置面に選択的に取り付け取り外し可能で、相対位置を変化させられ、これにより上述の定位空間のサイズを変更して各種の異なるサイズの携帯式電子装置を収容することを特徴とする、調整機能を具えた保護装置。
【請求項２】
請求項１記載の調整機能を具えた保護装置において、上述の複数の定位部品は、上述の定位空間の角部に位置する四つのＬ形夾持部品とされることを特徴とする、調整機能を具えた保護装置。
【請求項３】
請求項２記載の調整機能を具えた保護装置において、上述の四つのＬ形夾持部品は上述の座体の対角線経路に沿って対応して位置を変化させることを特徴とする、調整機能を具えた保護装置。
【請求項４】
請求項２記載の調整機能を具えた保護装置において、上述の四つのＬ形夾持部品は上述の設置面に貼り付けられる貼り付け部、上述の貼り付け部の一端が上向きに延伸されて形成された当接部、上述の当接部の上端に、上述の貼り付け部と平行に形成された支持部を具え、上述の貼り付け部、当接部及び支持部の三者の間に共同で夾持空間が形成されることを特徴とする、調整機能を具えた保護装置。
【請求項５】
請求項１記載の調整機能を具えた保護装置において、上述の折り畳み板体はさらに少なくとも一つの折り線を具え、上述の折り畳み板体に、上述の保護面に折り畳まれるときに立体支持構造を形成させ、並びに上述の座体に、上述の立体支持構造に寄り掛からせて傾斜状態を形成させることを特徴とする、調整機能を具えた保護装置。
【請求項６】
請求項５記載の調整機能を具えた保護装置において、上述の折り畳み板体は、順に、連接板、上述の連接板との間に折り線を形成する支持板、上述の支持板との間に折り線を形成する折り曲げ板、及び上述の折り曲げ板との間に折り線を形成する被覆板を包含することを特徴とする、調整機能を具えた保護装置。
【請求項７】
請求項６記載の調整機能を具えた保護装置において、上述の被覆板の内側表面に、少なくとも一つの当接部が設けられ、上述の折り畳み板体が上述の立体支持構造を形成するとき、上述の座体の一側を上述の当接部に接触させて定位することを特徴とする、調整機能を具えた保護装置。
【請求項８】
携帯式電子装置に組み合わせて使用され、座体と上述の座体に接続された折り畳み板体を具え、上述の座体は内側に位置する設置面と外側に位置する保護面を具える、調整機能を具えた保護装置において、
上述の座体の設置面に調整構造が設けられ、上述の調整構造は上述の設置面に取り付けられるベースと定位空間を形成する複数の夾持位置決め部品を具え、上述のベースが外向きに延伸されて複数の第１連接シートが形成され、上述夾持位置決め部品は第２連接シートを具え、上述第１連接シートは弾性部品により上述第２連接シートに接続され、上述の夾持位置決め部品は上述の弾性部品に組み合わされて、収縮状態の第１位置と伸長状態の第２位置の間で、選択的に往復移動可能であり、これにより上述の定位空間のサイズを変更して各種の異なるサイズの携帯式電子装置を収容することを特徴とする、調整機能を具えた保護装置。
【請求項９】
請求項８記載の調整機能を具えた保護装置において、上述の折り畳み板体はさらに少なくとも一つの折り線を具え、上述の折り畳み板体に、上述の保護面に折り畳まれるときに立体支持構造を形成させ、並びに上述の座体に、上述の立体支持構造に寄り掛からせて傾斜状態を形成させることを特徴とする、調整機能を具えた保護装置。
【請求項１０】
請求項９記載の調整機能を具えた保護装置において、上述の折り畳み板体は、順に、連接板、上述の連接板との間に折り線を形成する支持板、上述の支持板との間に折り線を形成する折り曲げ板、及び上述の折り曲げ板との間に折り線を形成する被覆板を包含することを特徴とする、調整機能を具えた保護装置。